(57)【特許請求の範囲】
【請求項１】
下階と上階とをつなぐ階段の少なくとも一方の側面に手摺壁が接合された階段構造であって、
上記手摺壁が、上下に配置された縦棧材と左右に配置された横棧材とを有する格子状に形成され、かつ、格子状の上記手摺壁と階段の側面とが接合されるとともに、上記手摺壁の上記階段との接合部以外の側面に仕上げ材が貼設され、
上記階段が、階段構築前に予め製作されるとともに下階の床側に接続される下階段ユニットと、階段構築前に予め製作されるとともに上階の床側に接続される上階段ユニットとを備え、上記手摺壁の一方の側面に上記下階段ユニットが直に接合され、上記手摺壁の他方の側面に上記上階段ユニットが直に接合され、上記階段が折り返し階段とされ、
上記手摺壁は、上部が上記折り返し階段の上記下階段ユニットからなる階段の傾斜に合わせて斜めに傾斜した状態とされている袖手摺部を備える下ユニットと、当該下ユニットの上に配置される上ユニットとを一体に接合した上下に長尺なパネル状とされ、
上記手摺壁の上記上ユニットの下部と、下ユニットの袖手摺部の上部との間に切欠部が形成され、
上記上ユニットの上部が上記折り返し階段の上記上階段ユニットからなる階段の傾斜に合わせて斜めに傾斜した状態とされていることを特徴とする階段構造。
【請求項２】
上記横棧材及び縦棧材の少なくとも一部は、上記手摺壁の側面に沿った方向の幅が、上記手摺壁の側面に直交する方向の幅より広くなっていることを特徴とする請求項１記載の階段構造。
【請求項３】
上記手摺壁の手摺取り付け位置に、手摺を取り付けるための埋木が予め配置され、上記埋木が上記手摺壁の少なくとも上記縦棧材に接合され、
上記埋木の左右幅が縦棧材間の間隔と略等しくされて埋木がこれら縦桟材間に配置され、
上記埋木に対応して手摺壁の左側縁部から右側縁部に渡って取り付けられた手摺下地を備え、
手摺の支柱部が上記埋木と上記手摺下地とに支持されていることを特徴とする請求項１又は２記載の階段構造。
【発明の詳細な説明】
【０００１】
【発明の属する技術分野】
本発明は、住宅に設けられる階段構造に係わり、特に、手摺を有する折り返し階段に好適な手摺壁を有する階段構造に関するものである。
【０００２】
【背景の技術】
壁、床、屋根等を木製の壁パネル、床パネル、屋根パネル等を組み付けることにより構築してプレハブ家屋を建築する木質パネル工法においては、家屋の階段部分も予め工場等で作成されたユニット状のものとされ、複数のサブユニットを現場で組み付けることにより階段を構築することができるようにしている。
例えば、上述のようなプレハブ家屋に、途中に踊り場を有して階段の昇降方向が階段の上部と下部とで１８０度曲がる折り返し階段を設ける場合には、例えば、階段の下側を構成する下階段ユニットと、該下階段ユニットに対して折り返した状態で下階段ユニットの上側に配置される上階段ユニットと、下階段ユニットと上階段ユニットとの間で踊り場を構成する踊り場ユニットと、一方の側面の下部に下階段ユニットが接合され、他方の側面の上部に上階段ユニットが接合され、階段の下部と該階段の下部に対して折り返した状態に配置された階段の上部とを仕切る手摺壁パネル（ユニット）と、その他のユニットとを階段設置位置で組み付けている。
【０００３】
階段がこのような構造となっていれば、上述の各サブユニットを組み付けるだけで階段が構築されるので、現場における階段の構築の省力化や施工期間の短縮を図ることができる。
なお、上記手摺壁パネルは、住宅の壁であり、木製パネル工法において、基本的に他の壁パネルと同様の構成を有するものである。従って、手摺壁パネルは、壁パネルと略同様に、枠体と、該枠体内に必要に応じて縦横に配置された棧材と、枠体の両側面にそれぞれ貼設された面板とからなるものである。
【０００４】
【発明が解決しようとする課題】
ところで、二階建て以上の住宅においては、階段が必要となるが、床面積が限られた住宅においては、階段に大きなスペースを取ることが難しく、階段の左右幅等が制限されることになるが、階段の左右幅をあまり狭くしてしまうと、大きな荷物等を階段を使って昇降する際などに、使い勝手が悪いものとなってしまう。そこで、階段の設置スペースが限られていても、できるだけ階段の実際に有効に利用可能な幅を広くする必要がある。
しかし、一般的な階段は、その一方の側面が壁に接合された状態とされ、他方の側面に手摺壁が配置された状態となっており、上述のような折り返し階段では、中央に手摺壁（仕切壁）が配置された状態となっているので、手摺壁の厚みだけ、階段の左右幅が狭められてしまう。
【０００５】
特に、木製パネル工法において、上記手摺壁を通常の壁パネルと同様の構成を有するものとすると、手摺壁が住宅の他の壁とほぼ同様の厚みを有することになり、階段の有効な左右幅が厚い手摺壁により狭められることになる。
また、高齢者対策等として、階段に沿った壁（手摺壁でも良い）に階段側に突出した状態で丸棒状の掴みやすい手摺を設ける場合があるが、このような手摺を設けた場合には、手摺が壁から階段側に突出していることにより、階段の有効な左右幅が狭められることになる。
【０００６】
本発明は、上記事情に鑑みてなされたものであり、限られた空間に設けられた階段において、階段の有効な左右幅を拡げることができる階段構造を提供することを目的とするものである。
【０００７】
【課題を解決するための手段】
本発明の請求項１記載の階段構造は、例えば、図１〜図３に示すように、下階と上階とをつなぐ階段（下直階段ユニット３、上直階段ユニット４）の少なくとも一方の側面に手摺壁２が接合されたものであり、
上記手摺壁２が、上下に配置された縦棧材２１ａ、２２ａ、２３ａと左右に配置された横棧材２１ｄ、２３ｄとを有する格子状に形成され、かつ、格子状の上記手摺壁２と階段３、４の側面とが接合されるとともに、上記手摺壁２の上記階段３、４との接合部以外の側面に仕上げ材が貼設され、
上記階段３、４が、階段構築前に予め製作されるとともに下階の床側に接続される下階段ユニット３と、階段構築前に予め製作されるとともに上階の床側に接続される上階段ユニット４とを備え、上記手摺壁２の一方の側面に上記下階段ユニット３が直に接合され、上記手摺壁２の他方の側面に上記上階段ユニット４が直に接合され、上記階段３、４が折り返し階段とされ、
上記手摺壁２は、上部が上記折り返し階段の上記下階段ユニット３からなる階段の傾斜に合わせて斜めに傾斜した状態とされている袖手摺部２２を備える下ユニット２ａと、当該下ユニット２ａの上に配置される上ユニット２ｂとを一体に接合した上下に長尺なパネル状とされ、
上記手摺壁２の上記上ユニット２ｂの下部と、下ユニット２ａの袖手摺部２２の上部との間に切欠部が形成され、
上記上ユニット２ｂの上部が上記折り返し階段の上記上階段ユニット４からなる階段の傾斜に合わせて斜めに傾斜した状態とされていることを上記課題の解決手段とした。
【０００８】
上記構成によれば、格子状の手摺壁２に直接階段３、４の側面が接合されているので、例えば、従来の手摺壁のように枠体に貼設された面板を有し、枠体と階段とが面板を介して接合される場合よりも、階段３、４の左右幅に占める手摺壁２の左右幅（厚み）を小さくして、限られた空間に設けられた階段３、４の有効な左右幅を拡げることができる。
また、格子状の手摺壁パネル２に階段３、４を接合するものとした場合には、棧材が面板に覆われて棧材の位置が分からなくなるようなことがなく、手摺壁パネル２の棧材２１ａ、２２ａ、２３ａ、２１ｄ、２３ｄと、階段３、４とを容易に接合することができる。
なお、格子状の手摺壁２の横棧材２１ｄ、２３ｄ同士の間や縦棧材２１ａ、２２ａ、２３ａ同士の間にできる開口部は、上記階段３、４との接合部以外の側面に貼設された仕上げ材により閉塞されることになる。
【０００９】
また、手摺壁２の左右の側面側にそれぞれ下階段ユニット３と上階段ユニット４とを配置することにより、折り返し階段が構成されることになり、手摺壁２が、折り返し階段の下階段とこの下階段に対して折り返した状態に配置された上階段との仕切壁となる。そして、上述のように仕切壁を面材分だけ薄いものとしたり、仕切壁自体を薄いものとすることにより、折り返し階段の下階段側と上階段側との両方において、有効な左右幅を拡げることができる。
また、階段部分をユニット化することにより現場作業の省力化を図ることができる。
また、仕上げ材は、従来の手摺壁においても貼設されるものであり、仕上げ材で格子状の手摺壁２の開口を閉塞するものとしても、従来に比べて階段の左右幅に占める手摺壁の割合が大きくなることはない。
また、仕上げ材は、例えば、石膏ボード等の耐火性や耐熱性や防火性等を有するボードを含むとともに、壁の表面を形成するクロスや壁紙等を含むものである。また、手摺壁２に階段３、４以外に接合される部材があれば、手摺壁２の上記部材との接合部分に仕上げ材を貼設しないものとしても良い。
また、手摺壁２は、必ずしも階段の荷重を受ける必要はない。また、手摺壁２の形状は、階段の傾斜に沿って傾斜した上面を有する。
また、上記階段３、４は、例えば、側板となる左右のささら桁と、階段の格段を構成する水平な段板と、各段板間に垂直に配置される蹴込板とからなるものであるが、基本的に段板が前後に位置をずらしながら上下に段々に配置されていれば良いものである。また、階段３、４は、上述の部材が予め接合されたユニット状のものである。
また、階段３、４は、途中に踊り場を有し、昇降方向が９０度や１８０度等の角度で屈曲しているものであっても良いし、さらに、踊り場がなく、三角形状の段板を用いることにより昇降方向が途中で屈曲しているものであっても良い。
また、上記縦棧材２１ａ、２２ａ、２３ａ及び横棧材２１ｄ、２３ｄは、棒状もしくは長尺な板状の部材であり、縦棧材２１ａ、２２ａ、２３ａが略垂直に配置され、横棧材２１ｄ、２３ｄが略水平に配置されるが、斜めに配置される縦棧材２１ａ、２２ａ、２３ａや、横棧材２１ｄ、２３ｄがあっても良い。
なお、下階段ユニット３及び上階段ユニット４は、例えば、ささら桁３ｂ、４ｂと、段板３ｃ、４ｃと、蹴込板３ｄ、４ｄと、その他の部材とを予め接合したものである。また、実際に階段を構成するには、下階段ユニット３、上階段ユニット４、手摺壁２以外に、例えば、踊り場部分を構成するユニット（下階段踊り場ユニット５、上階段踊り場ユニット６）や、その他の部材などが必要となる。
【００１０】
本発明の請求項２記載の階段構造は、上記横棧材２１ｄ、２３ｄ及び縦棧材２１ａ、２２ａ、２３ａの少なくとも一部が、上記手摺壁２の側面に沿った方向の幅が、上記手摺壁２の側面に直交する方向の幅より広くなっていることを上記課題の解決手段とした。
上記構成によれば、横棧材２１ｄ、２３ｄ及び縦棧材２１ａ、２２ａ、２３ａは、手摺壁２の側面に直交する方向、すなわち手摺壁２の厚み方向が薄くなっており、手摺壁２を薄くできるようになっている。
また、横棧材２１ｄ、２３ｄ及び縦棧材２１ａ、２２ａ、２３ａの強度は、手摺壁２の厚み方向に沿った厚みを所定の厚み以下とならないようにするとともに、手摺壁２の側面の沿った方向の幅を広くすることで所定の強度を得ることができる。
すなわち、所定の強度を有した状態で手摺壁２を薄くすることができ、手摺壁２を薄くした分、限られた空間に設けられた階段の有効な左右幅を拡げることができる。
【００１１】
なお、手摺壁２は、上述のように必ずしも階段３、４を支持する必要がないので、手摺壁２が階段を支持しない構造とすれば、手摺壁２は基本的に間仕切り壁と同様のものとなり、大きな強度を必要としないものとなる。
また、縦棧材２１ａ、２２ａ、２３ａ及び横棧材２１ｄ、２３ｄは、手摺壁２の厚み方向に沿った幅（厚み）が狭く、手摺壁２の側面に沿った方向の幅が広いもの、すなわち、基本的に、長尺な断面矩形状のものであるが、例えば、縦棧材２１ａ、２２ａ、２３ａが手摺壁の上下方向に長く延在する場合に、横棧材２１ｄ、２３ｄは、上下に長い縦棧材２１ａ、２２ａ、２３ａ間に配置される比較的短いものとなる。
また、縦棧材２１ａ、２２ａ、２３ａ及び横棧材２１ｄ、２３ｄは、その全てを手摺壁２の厚み方向に沿った幅（厚み）が狭く、手摺壁２の側面に沿った方向の幅が広いものとしても良いが、必ずしも大きな強度を要求されない部分は、手摺壁２の側面に沿った方向の幅を狭くしても良い。
【００１６】
本発明の請求項３記載の階段構造は、、２３ｅが手摺壁２の少なくとも縦棧上記手摺壁２の手摺取り付け位置に、手摺（図４に図示）３０を取り付けるための埋木２１ｅ、２３ｅが予め配置され、上記埋木２１ｅ材２１ａ、２２ａ、２３ａに接合され、
上記埋木２１ｅ、２３ｅの左右幅が縦棧材間２１ａ、２２ａ、２３ａの間隔と略等しくされて埋木２１ｅ、２３ｅがこれら縦桟材間に配置され、
上記埋木２１ｅ、２３ｅに対応して手摺壁２の左側縁部から右側縁部に渡って取り付けられた手摺下地３１、３１を備え、
手摺３０の支柱部３２…が上記埋木２１ｅ、２３ｅと上記手摺下地３１、３１とに支持されていることを上記課題の解決手段とした。
上記構成によれば、手摺壁２に手摺取り付け用の埋木２１ｅ、２３ｅが施されているので、容易に手摺３０を取り付けるものとすることができるとともに、縦棧材２１ａ、２２ａ、２３ａに接合された埋木２１ｅ、２３ｅにより手摺３０の強度を容易に確保することができる。また、建築時に階段に手摺３０を付けない構造となっていても、手摺壁２に予め手摺用の埋木２１ｅ、２３ｅが施されていれば、手摺壁２に必要な強度を有する手摺３０を容易に後付けすることができる。
【００１７】
なお、上記埋木２１ｅ、２３ｅは、その左右側縁部がそれぞれ縦棧材２１ａ、２２ａ、２３ａに接合されていることが好ましく、その左右幅が、縦棧材２１ａ、２２ａ、２３ａ間の間隔と略等しくなっていることが好ましい。
また、埋木２１ｅ、２３ｅの厚さは、横棧材２１ｄ、２３ｄや縦棧材２１ａ、２２ａ、２３ａと略等しくなっていることが好ましく、さらに、埋木２１ｅ、２３ｅの強度及び埋木２１ｅ、２３ｅと縦棧材２１ａ、２２ａ、２３ａとの接合強度を高める場合には、埋木２１ｅ、２３ｅの上下幅を長くすれば良い。
【００１８】
【発明の実施の形態】
以下に、本発明の実施の形態の一例の階段構造を説明する。
図１はこの一例の階段構造を用いた階段ユニット１を示すものであり、図２はこの階段構造の上記階段ユニット１を構成する構成部品となる各サブユニットを示すものであり、図３はこの階段構造の階段ユニット１に使用される手摺壁パネル（サブユニット）２を示すものであり、図４は手摺壁パネル２に取り付けられた手摺３０を示すものであり、図５から図７は階段ユニット１の組立工程を示すものである。
【００１９】
図１に示すように、この一例の階段構造を用いた階段ユニット１は、住宅の第一の壁１１と、この第一の壁１２に互いに間隔を開けて直角に接合される第二の壁１２及び第三の壁（階段ユニット１が見やすいように図示を省略）とから構成される平面視してコ字状の凹部に配置されるものであり、階段ユニット１の複数箇所が第一、第二及び第三の壁１１、１２に接合されて支持されるようになっているとともに、階段の下部と上部とで昇降方向が１８０度異なる折り返し階段となっている。
また、第一、第二及び第三の壁１１、１２の一階部分及び二階部分は、それぞれ、矩形枠状の枠体（図示略）と、枠体内部に必要に応じて配置された縦横の棧材（図示略）と、枠体の左右両側面に貼設された面材（図示略）とからなる壁パネルを左右に連接することで形成されている。
【００２０】
そして、図１及び図２に示すように、上記階段ユニット１は、以下に示す各サブユニットを建設現場で組み立てることにより階段となるものであり、階段の壁に接合されていない側の側面に配置される手摺壁パネル２と、階段の下側となる下直階段ユニット３と、階段の下側に対して昇降方向が１８０度異なる階段の上側となる上直階段ユニット４と、二段にされた階段踊り場のうちの下側の階段踊り場となる下階段踊り場ユニット５と、上側の階段踊り場となる上階段踊り場ユニット６と、下直階段ユニット３の上端部を受ける下直階段受けパネル７と、踊り場の下側で下階段踊り場ユニット５と上階段踊り場ユニット６との間を仕切る踊り場下仕切パネル８と、二階の床１３の下直階段ユニット４に臨む側縁部に配置される二階手摺壁パネル９とからなるものである。
【００２１】
上記手摺壁パネル２は、図３に示すように、下ユニット２ａと上ユニット２ｂとからなるものであり、例えば、下ユニット２ａの上側縁部と上ユニット２ｂの下側縁部とを建築現場で接合するようになっている。
そして、手摺壁パネル２の下ユニット２ａは、矩形状の図中左側の仕切部２１と、上部が階段の傾斜に合わせて斜めに傾斜した状態とされた図中右側の袖手摺部２２とが一体に接合されたものである。
【００２２】
そして、仕切部２１は、三本の縦棧材２１ａ…と、これら縦棧材２１ａ…の下端部間に架け渡された状態で縦棧材２１ａの下端部に接合されるとともに、さらに、袖手摺部２２側に延出する下横框材２１ｂと、縦棧材２１の上端部間に架け渡された状態で縦棧材２１ａ…の上端部に接合される上横框材２１ｃと、縦棧材２１ａ…同士の間に左右両端部を縦棧材２１ａ…にそれぞれ接合された状態で配置される複数の横棧材２１ｄ…と、縦棧材２１ａ…同士の間に左右両端部を縦棧材２１ａ…にそれぞれ接合された状態で後述する手摺３０に対応して配置される手摺取り付け用の埋木２１ｅ…と、仕切部２１の袖手摺部２２が接合される側縁部の袖手摺部２２が接合されていない部分において縦棧材２１ａの側縁部に接合される縦框材２１ｆとからなるものである。
【００２３】
袖手摺部２２は、上端部が階段に傾斜に対応して斜めにされた二本の互いに長さの異なる縦棧材２２ａ、２２ａと、上述の埋木２１ｅと、上記縦棧材２２ａ、２２ａの上端部間に階段の傾斜に対応して斜めに架け渡された状態で、縦棧材２２ａ、２２ａ上端部に接合された斜横棧材２２ｂと、仕切部２１から延出し、上記縦棧材２２ａ、２２ａの下端部間に架け渡された状態で、縦棧材２２ａ、２２ａの下端部に接合された下横框材２１ｂとからなるものである。
なお、仕切部２１と袖手摺部２２とは、予め工場等で一体に形成されてから、建築現場に搬送されるものである。
【００２４】
上記上ユニット２ｂは、上端部が階段の傾斜に対応して斜めにされた四本の互いに長さの異なる縦棧材２３ａ…と、上記縦棧材２３ａ…の上端部間に階段の傾斜に対応して斜めに架け渡された状態で、縦棧材２３ａ…の上端部に接合された斜横棧材２３ｂと、上記縦棧材２３ａ…の下端部間に架け渡された状態で、縦棧材２３ａ下端部に接合された下横框材２３ｃと、縦棧材２３ａ…同士の間に左右両端部を縦棧材２３ａ…にそれぞれ接合された状態で配置される複数の横棧材２３ｄ…と、縦棧材２３ａ…同士の間に左右両端部を縦棧材２３ａ…にそれぞれ接合された状態で手摺３０に対応して配置される手摺取り付け用の埋木２３ｅ、２３ｅとからなるものである。
【００２５】
なお、上記下ユニット２ａと上ユニット２ｂとは、基本的に別体に予め製造され、建築現場で一体に接合されるものであり、一階の床から二階の下部に至る上下に長尺な手摺壁パネル２を上下二つに分割した状態とすることにより、その搬送や建築中の住宅内での取り扱いを容易なものとしている。
また、手摺壁パネル２おいては、下ユニット２ａと上ユニット２ｂとを一体にした状態で搬送や建築中の家屋内での取り扱い等が可能ならば、手摺壁パネル２を下ユニット２ａと上ユニット２ｂとが予め一体になった構造としても良い。
【００２６】
また、図１においては、手摺壁パネル２の左右の側面に後述する手摺３０取付用の手摺下地材３１、３１と、下直階段ユニット３の壁調整材３ａ及び上直階段ユニット４の壁調整材４ａとが取り付けられた状態で図示している。
そして、図１に破線で示すように、手摺壁パネル２の一方の側面の下部に下直階段ユニット３が接合され、他方の側面の上部に上直階段ユニット４が接合されるようになっており、手摺壁パネル２は、階段の手摺壁となるとともに、下直階段ユニット３と上直階段ユニット４との間の仕切壁となるものである。
【００２７】
そして、手摺壁パネル２は、基本的に縦棧材２１ａ、２２ａ、２３ａと、横棧材２１ｄ、２３ｄと、上框材２１ｃと、下框材２１ｂ、２３ｃと、斜横棧材２２ｂ、２３ｂとから格子状に構成され、上述の壁パネルと異なり、左右の両側面に面材が貼設されていない構造となっている。そして、上述のように格子状の手摺壁パネル２に直に下直階段ユニット３の壁調整材３ａと上直階段ユニット４の壁調整材４ａとが接合されるようになっている。
また、格子状の手摺壁の開口部は、壁調整材３ａ、４ａとの接合部と、手摺下地材３１、３１との接合部を除いた部分に石膏ボード（図示略）が貼設され、その上にクロス（図示略）等の仕上げ材が施されて、閉塞されるようになっている。
【００２８】
また、手摺壁パネル２を形成する縦棧材２１ａ、２２ａ、２３ａと、横棧材２１ｄ、２３ｄと、斜横棧材２２ｂ、２３ｂとは、手摺壁パネル２の側面方向に沿った幅が、手摺壁パネル２の側面方向に直交する方向（厚み方向）に沿った幅（厚み）より広くなっている。
すなわち、縦棧材２１ａ、２２ａ、２３ａと、横棧材２１ｄ、２３ｄと、斜横棧材２２ｂ、２３ｂとは、断面矩形状の木材であり、手摺壁パネル２の側面方向に沿った幅が広く、手摺壁パネル２の厚み方向に沿った幅（厚み）が薄くなっている。なお、上下の框材２１ｂ、２１ｃ、２３ｃは、基本的に、棧材であるが、この例においては、手摺壁パネル２の側面方向に沿った幅が狭くされている。
また、手摺壁パネル２には、図４に示すように、手摺３０が取り付けられるようになっている。そして、手摺３０は、折り返し階段に対応して、手摺壁パネル２の一方の側面の下部から他方の側面の上部に回り込むように配置されている。また、手摺３０の支柱部３２…は、上述の手摺壁パネル２の埋木２１ｅ、２３ｅと、該埋木２１ｅ、２３ｅに対応して手摺壁パネル２に取り付けられた手摺下地３１、３１とに支持されるようになっており、例えば、支柱部３２…を手摺壁パネル２に接合するビスが、手摺下地３１、３１を貫通して、埋木２１ｅ、２３ｅに打ち込まれた状態となっている。
【００２９】
上記下直階段ユニット３は、図２（Ｂ）に示すように、側板をなす左右のささら桁（図中片方だけ図示）３ｂと、これらささら桁３ｂ間に、段階的に設けられ踏み板となる段板３ｃ…と、これら段板３ｃ…間に設けられた蹴込板３ｄ…と、二つのささら桁４ｂの外側面にそれぞれ設けられ、かつ、第二の壁１２もしくは手摺壁パネル２に接合される壁調整材（図中片方だけを図示）３ａとからなるものである。
【００３０】
上記上直階段ユニット４は、図２（Ｃ）に示すように、側板をなす左右のささら桁４ｂ、４ｂと、これらささら桁４ｂ、４ｂ間に、段階的に設けられ踏み板となる段板４ｃ…と、これら段板４ｃ…間に設けられた（図中一つだけ背面から図示）蹴込板４ｄと、二つのささら桁４ｂの外側面にそれぞれ設けられ、かつ、第三の壁もしくは手摺壁パネル２に接合される壁調整材（図中片方だけを図示）４ａとからなるものである。
【００３１】
上記下階段踊り場ユニット５は、図２（Ｄ）に示すように、四角枠状の枠体５ａと、この枠体５ａ上に貼設され踊り場の床面となる面材５ｂと、枠体５ａの一つの側面に取り付けられ、下直階段ユニット３との接合部となる蹴込板５ｃと、枠体５ａの上記一つの側面に隣接する側面に設けられ、上階段踊り場ユニット６と接合される接合部５ｄと、残りの二つの側面に設けられ、第一及び第二の壁１１、１２と接合される図示しない壁調整材とからなるものであり、予め、工場等でこれらの部材が一体に接合されてなるものである。
なお、枠体５ａ内部には、複数本の図示しない棧材（根太）が配置されている。また、蹴込板５ｃは、下直階段ユニット３の最上段の段板３ｃと下階段踊り場ユニット５の面材５ｂとの間の蹴込板となるものである。
【００３２】
上階段踊り場ユニット６は、図２（Ｅ）に示すように、四角枠状の枠体６ａと、この枠体６ａ上に貼設され踊り場の床面となる面材６ｂと、枠体６ａの一つの側面に取り付けられ、下階段踊り場ユニット５との接合部となる蹴込板６ｃと、枠体６ａの上記一つの側面に隣接する側面に設けられ、上直階段ユニット４と接合される接合部６ｄと、残りの二つの側面に設けられ、第一及び第三の壁と接合される壁調整材６ｅとからなるものであり、予め、工場等でこれらの部材が一体に接合されてなるものである。
なお、枠体６ａ内部には、複数本の図示しない棧材（根太）が配置されている。また、蹴込板６ｃは、下階段踊り場ユニット５の面材５ｂと上階段踊り場ユニット６の面材６ｂとの間の蹴込板となるものである。
【００３３】
上記下直階段受けパネル７は、図２（Ｆ）に示すように、矩形枠状の枠体７ａと、枠体７ａ内に上下に配置された棧材７ｂとからなる格子状のパネルである。そして、下直階段受けパネル７は、その下端部が一階の床面に立設された状態で接合されるとともに、その上端部が下直階段ユニット３と下階段踊り場ユニット５との接合部分に接合され、下直階段ユニット３の上端部を支持するように受けた状態で配置される。
なお、下直階段ユニット３は、その左右両側面がそれぞれ第二の壁１２と手摺壁パネル２とに接合さ、下階段踊り場ユニット５は、その隣り合う側面がそれぞれ第一及び第二の壁１１、１２に接合され、さらに、下直階段ユニット３の上端部が下階段踊り場ユニット５に接合されているので、下直階段ユニット３及び下階段踊り場ユニット５を下直階段受けパネル７が単独で支持しているものではない。
【００３４】
上記踊り場下仕切パネル８は、図２（Ｇ）に示すように、矩形枠状の枠体８ａと、枠体８ａ内に上下に配置された棧材８ｂとからなる格子状のパネルである。そして、踊り場下仕切パネル８は、その下端部が一階の床面に立設された状態で接合されるとともに、その上端部が下階段踊り場ユニット５と上階段踊り場ユニット６との接合部分に接合され、上記接合部分を支持するように受けた状態で配置される。
なお、下階段踊り場ユニット５と上階段踊り場ユニット６とは、その側面が周囲の壁に接合され支持されているので、下階段踊り場ユニット５と上階段踊り場ユニット６とを踊り場下仕切パネル８が単独で支持しているものではない。
【００３５】
上記二階手摺壁パネル９は、図２（Ｈ）に示すように、矩形枠状の枠体９ａと、枠体９ａ内に上下に配置された棧材９ｂと、一方の側縁部に二階の手摺壁パネル９の厚み方向に突出して設けられた接合板９ｃとからなるものである。
上記二階手摺壁パネル９は、図１に示すようにその下端部が二階の床に接合され、左右側縁部のうちの一方の側縁部が手摺壁パネル２の上部の一方の側縁部に接合され、他方の側縁部が接合板９ｃにより第二の壁１２に接合されている。
【００３６】
次に、上述のような階段ユニット１を用いた階段の施工方法を説明する。
まず、図５に示すように、第一の壁１１から所定の間隔を開けて第一の壁１１パネルと平行となるとともに、一方の側縁が第二の壁１２に当接するように下直階段受けパネル７を配置し、下直階段受けパネル７の下端部７を一階の床に接合するとともに、下直階段受けパネル７の一方の側縁部を第二の壁１２に接合する。
なお、この例においては、各部材の接合は、例えば、接着材とスクリュー釘やビス等の接合部材とにより行われる。
【００３７】
次に、図６に示すように、下直階段ユニット３の上端部が下直階段受けパネル７上に載置され、かつ、下直階段ユニット３の一方の側面が第二の壁１２に当接するように下直階段ユニット３を配置し、下直階段ユニット３の一方の側面（壁調整材３ａ）と第二の壁１２とを接合するとともに、下直階段ユニット３の上端部（最上部の段板３ｃ）と下直階段受けパネル７の上端部とを接合する。
【００３８】
次に、上記下階段踊り場ユニット５を下直階段ユニット３上に配置し、下階段踊り場ユニット５の蹴込板５ｃの下端部を下直階段ユニット３の上端部（最上部の段板３ｃ）と下直階段受けパネル７の上端部とに接合し、さらに下階段踊り場ユニット５の二つの側面をそれぞれ第一及び第二の壁１１、１２に接合する。
次に、図７に示すように、下階段踊り場ユニット５の上階段踊り場ユニット６と接合される側面の下に踊り場下仕切パネル８を配置し、踊り場下仕切パネル８の下端部を一階の床に接合するとともに、一方の側縁部を第一の壁１１に接合し、さらに、踊り場下仕切パネル８の上端部と下階段踊り場ユニット５とを接合する。
【００３９】
次に、下階段踊り場ユニット５に隣接して上階段踊り場ユニット６を配置し、上階段踊り場ユニット６の蹴込板６ｃを下階段踊り場ユニット５に接合するとともに、上階段踊り場ユニット６の二つの側縁部をそれぞれ第一の壁１１と図示しない第三の壁に接合する。
次に、手摺壁パネル２を下直階段ユニット３の他方の側面に当接するように配置し、手摺壁パネル２の下端部を一階の床に接合するとともに、一方の側縁部を踊り場下仕切パネル８の側縁部に接合し、さらに、下直階段ユニット３の他方の側面（壁調整材３ａ）と手摺壁パネル２とを接合する。
【００４０】
次に、図１に示すように、上階段踊り場ユニット６に上直階段ユニット４を配置し、上直階段ユニット４の下端部を上階段踊り場ユニット６に接合し、上直階段ユニット４の上端部を図示しない二階の床（一部を床１３として図示）と接合し、上直階段ユニット４の一方の側面を手摺壁パネル２に接合し、他方の側面を図示しない第三の壁に接合する。
【００４１】
次に、二階の床１３上に二階手摺壁パネル９を配置し、その下端部を二階の床１３に接合し、一方の側縁部を手摺壁パネル２に接合し、他方の側縁部を第二の壁に接合する。
以上の工程により、階段ユニット１を構成する各サブユニットの組立を終了し、次いで、手摺壁パネル２及び二階手摺壁パネル９の両側面に石膏ボードを貼設し、さらにその上にクロス等を貼設する。すなわち、手摺壁パネル２及び二階手摺壁パネル９の側面に内装材を貼設し、格子状の手摺壁パネル２及び二階手摺壁パネル９の開口を閉塞する。
【００４２】
また、各壁面等にも内装材を貼設し、必要に応じて上直階段ユニット４の下に間仕切り壁等を配置して、階段部分の施工を終了する。
上述のような階段ユニット１による階段構造によれば、手摺壁パネル２が木製パネル工法の壁パネルや２×４工法の壁と異なり、その両面に面材が施されていないので、その分だけ手摺壁を薄くすることができる。
【００４３】
さらに、手摺壁パネル２を形成する縦棧材２１ａ、２２ａ、２３ａと、横棧材２１ｄ、２３ｄと、斜横棧材２２ｂ、２３ｂとは、手摺壁パネル２の側面方向に沿った幅が、手摺壁パネル２の側面方向に直交する方向（厚み方向）に沿った幅（厚み）より広くなっているので、各棧材の手摺壁パネル２の側面に沿った方向の幅を広くすることで強度を高めた状態で、手摺壁パネル２の厚みに沿った方向の幅を狭くすることで、手摺壁パネル２に所定の強度を持たせた状態で、手摺壁パネル２を薄くすることができる。
【００４４】
従って、さらに、手摺壁パネル２を薄くすることができる。そして、上述のように手摺壁パネル２を薄くすることで、限られた空間に設けられた階段において、階段の有効な左右幅を拡げることができるので、階段の使い勝手を向上することができる。
さらに、壁面から階段側に突出するように手摺３０を設けることにより、階段の有効な左右幅が減少しても、上述のように手摺壁パネル２を薄くして、階段の有効な左右幅を拡げておくことにより、階段側に突出する手摺３０により階段の使い勝手が悪くなるのを防止することができるとともに、階段全体の幅を広くしなくとも階段側に突出する手摺３０を設けた状態で階段に必要な有効な左右幅を確保することができる。
なお、上記階段ユニット１は、本発明の一例であり、階段の段数、階段の左右幅、踊り場の形状、階段の格段の前後幅等は、自由に設計変更することが可能である。
【００４５】
また、手摺壁パネル２の形状も変更することが可能であり、例えば、図８に示すような形状の手摺壁パネル４０を用いることができる。
この手摺壁パネル４０は、上記例の手摺壁パネル２の下ユニット２ａの袖手摺部２２を無くして、手摺壁パネル４０の下ユニット４０ａの全体を仕切部としたものである。
そして、手摺壁パネル４０の上ユニット４０ｂは、上記例の手摺壁パネル２の上ユニット２ａと同様の構成を有するものであり、同様の構成要素に同一の符号を付してその説明を省略する。
【００４６】
手摺壁パネル４０の下ユニット４０ａは、四本の縦棧材４１ａ…と、これら縦棧材４１ａ…の下端部間に架け渡された状態で縦棧材４１ａの下端部に接合される下横框材４１ｂと、縦棧材４１ａ…の上端部間に架け渡された状態で縦棧材４１ａ…の上端部に接合される上横框材４１ｃと、縦棧材４１ａ…同士の間に左右両端部を縦棧材４１ａ…にそれぞれ接合された状態で配置される複数の横棧材４１ｄ…と、縦棧材４１ａ…同士の間に左右両端部を縦棧材４１ａ…にそれぞれ接合された状態で後述する手摺３０に対応して配置される手摺取り付け用の埋木４１ｅ…と、一方の側縁部の縦棧材４１ａの外側の側縁部に接合される縦框材４１ｆとからなるものである。
【００４７】
【発明の効果】
本発明の請求項１記載の階段構造によれば、格子状の手摺壁に直接階段の側面が接合されているので、例えば、従来の手摺壁のように枠体に貼設された面板を有し、枠体と階段とが面板を介して接合される場合よりも、階段の左右幅に占める手摺壁の左右幅（厚み）を小さくして、限られた空間に設けられた階段の有効な左右幅を拡げることができる。また、格子状の手摺壁に階段を接合する際に、従来のように棧材が面板で隠された状態となっていないので、手摺壁の棧材と階段とを容易に接合することができる。
また、手摺壁の左右の側面側にそれぞれ下階段ユニットと上階段ユニットとを配置することにより、折り返し階段が構成されることになり、手摺壁が、折り返し階段の下階段とこの下階段に対して折り返した状態に配置された上階段との仕切壁となる。そして、上述のように仕切壁を面材分だけ薄いものとしたり、仕切壁自体を薄いものとすることにより、折り返し階段の下階段側と上階段側との両方において、有効な左右幅を拡げることができる。
また、階段部分をユニット化することにより現場作業の省力化を図ることができる。
【００４８】
本発明の請求項２記載の階段構造によれば、横棧材及び縦棧材は、手摺壁の側面に直交する方向、すなわち手摺壁の厚み方向が薄くなっており、手摺壁を薄くできるようになっている。
また、横棧材及び縦棧材の強度は、手摺壁の厚み方向に沿った厚みを所定の厚み以下とならないようにするとともに、手摺壁の側面の沿った方向の幅を広くすることで所定の強度を得ることができる。
すなわち、所定の強度を有した状態で手摺壁を薄くすることができ、手摺壁を薄くした分、限られた空間に設けられた階段の有効な左右幅を拡げることができる。
【００５０】
本発明の請求項３記載の階段構造によれば、手摺用の埋木が施されているので、容易に手摺を取り付けるものとすることができるとともに、縦棧材に接合された埋木により手摺の強度を容易に確保することができる。また、建築時に階段に手摺を付けない構造となっていても、手摺壁に予め手摺用の埋木が施されていれば、容易に手摺壁に必要な強度を有する手摺を後付けすることができる。
【図面の簡単な説明】
【図１】本発明の実施の形態の一例の階段構造を用いた階段ユニットを示す斜視図である。
【図２】上記例の階段ユニットを構成する各サブユニットを示す斜視図である。
【図３】上記例の階段ユニットの手摺壁パネルを示す側面図である。
【図４】上記例の階段ユニットの手摺壁パネルに設けられた手摺を示す側面図である。
【図５】上記例の階段ユニットの施工工程を説明するための斜視図である。
【図６】上記例の階段ユニットの施工工程を説明するための斜視図である。
【図７】上記例の階段ユニットの施工工程を説明するための斜視図である。
【図８】上記例とは異なる手摺壁パネルを示す側面図である。
【符号の説明】
１        階段ユニット
２        手摺壁パネル（手摺壁、手摺壁ユニット）
３        下直階段ユニット（階段、下階段ユニット）
４        上直階段ユニット（階段、下直階段ユニット）
２１ａ    縦棧材
２１ｄ    横棧材
２２ａ    縦棧材
２２ｂ    斜横棧材
２３ａ    縦棧材
２３ｄ    横棧材
２１ｅ    埋木
２３ｅ    埋木
【図１】
0003730353.tif 000002
【図２】
0003730353.tif 000003
【図３】
0003730353.tif 000004
【図４】
0003730353.tif 000005
【図５】
0003730353.tif 000006
【図６】
0003730353.tif 000007
【図７】
0003730353.tif 000008
【図８】
0003730353.tif 000009